(57)【要約】  配線用遮断器（2）の入切ツマミ（21）の挿通穴（3c）を有すると共に、配線用遮断器の露出された充電部を覆うように形成され所定部に係合部（31）を有する保護カバ（3）と、この保護カバーを開閉可能に支持するカバー支持部材（4）と、保護カバーが閉じられているときに係合部と互いに係合して保護カバーの回動を規制するカバーロック部材（5）を備えると共に、保護カバー、カバー支持部材、及びカバーロック部材の何れかが入切ツマミの動作に応じて移動可能に設けられ、その移動によって係合部とカバーロック部材とが係合または係脱されるようにしたものである。
2015029528.tif 000002
【特許請求の範囲】
【請求項１】
配線用遮断器の入切ツマミの挿通穴を有すると共に、該配線用遮断器の露出された充電部を覆うように形成され所定部に係合部を有する保護カバーと、この保護カバーを開閉可能に支持するカバー支持部材と、前記保護カバーが閉じられているときに前記係合部と互いに係合して前記保護カバーの回動を規制するカバーロック部材を備えると共に、前記保護カバー、前記カバー支持部材、及び前記カバーロック部材の何れかが前記入切ツマミの動作に応じて移動可能に設けられ、その移動によって前記係合部と前記カバーロック部材とが係合または係脱されるようにしたことを特徴とする盤装置。
【請求項２】
前記保護カバー、前記カバー支持部材、及び前記カバーロック部材の何れかが、前記入切ツマミの前記挿通穴を介した前記入切ツマミの動作に応じて移動可能に設けられたことを特徴とする請求項１に記載の盤装置。
【請求項３】
前記保護カバーに、前記充電部を視認可能な監視窓が設けられていることを特徴とする請求項１または請求項２に記載の盤装置。
【請求項４】
前記保護カバーが開放状態のときに前記入切ツマミが投入されている状態では、該保護カバーは、前記カバーロック部材または前記入切ツマミに干渉して閉成不能となるようにしたことを特徴とする請求項１から３のいずれか１項に記載の盤装置。
【請求項５】
前記保護カバーは前記カバー支持部材に対して前記入切ツマミの動作方向と平行にスライド移動可能に保持され、前記挿通穴の前記動作方向の寸法は前記入切ツマミの動作範囲と同等に形成され、前記入切ツマミの投入位置では、前記挿通穴の一端部が該入切ツマミと干渉してスライド移動が規制され、かつ前記係合部と前記カバーロック部材との係合が保持され、前記入切ツマミの切断位置では前記保護カバーが該切断位置の方向にスライド移動可能となり、スライド移動させた位置で前記係合部と前記カバーロック部材とが係脱し得るようにしたことを特徴とする請求項１から４のいずれか１項に記載の盤装置。
【請求項６】
前記カバー支持部材は、前記入切ツマミと連動されて該入切ツマミの動作方向と平行にスライド移動可能に設けられ、所定部で前記保護カバーを回動可能に軸支していることを特徴とする請求項１から４のいずれか１項に記載の盤装置。
【請求項７】
前記カバーロック部材は、前記入切ツマミに連動されて該入切ツマミの動作方向と平行にスライド移動可能に設けられ、所定部に前記係合部と係合し得る係止部が形設されていることを特徴とする請求項１から４のいずれか１項に記載の盤装置。
【請求項８】
前記係合部、及び前記係止部の一方は、舌片状の突起からなり、他方はその突起を受け入れる切欠き部または穴からなることを特徴とする請求項７に記載の盤装置。
【請求項９】
前記保護カバーは、前記配線用遮断器の近傍に設置されたカバー支持部材に対して、前記入切ツマミの動作方向と平行にスライド移動可能で任意のスライド位置で回動自在に軸支され、前記係合部は、その軸心から半径方向に所定寸法離れた位置の前記保護カバーに立設された係合ピンによって形成され、前記カバーロック部材は、スライド移動の方向と平行でスライド移動寸法と同等の寸法の直線部とその直線部に連なる円弧部によって形成された前記係合ピンに係合するガイド溝を有する板状のガイド部材よって構成され、前記入切ツマミの投入時には前記係合ピンを前記ガイド溝の前記直線部に位置させることで前記保護カバーの開放方向の動作を規制するようにしたことを特徴とする請求項１から４のいずれか１項に記載の盤装置。
【発明の詳細な説明】
【技術分野】
【０００１】
本発明は、分電盤、制御盤などの盤装置において、配線用遮断器のツマミのＯＮ／ＯＦＦ動作と連動させて充電部からの感電保護を行うインターロック機構を備えた盤装置に関するものである。
【背景技術】
【０００２】
従来の分電盤として、配線用遮断器（以下、ブレーカという）の保護カバーが筐体側の内扉に取付けられ、その内扉は工具操作式ツマミによってロックされており、その工具操作式ツマミのロックを解除すると内扉をオープンすることができ、内扉をオープンすると、ブレーカのＯＮ／ＯＦＦに関らず全てのブレーカ保護カバーがオープン状態となるものが知られている。また、ブレーカにインターロック用ハンドルを設け、保安用扉とリンクさせ、ブレーカＯＮ状態時は保安用扉をオープンできず、ブレーカＯＦＦ状態時に内部インターロックが解除され、保安用扉をオープンできる構造としたコントロールセンタがある（例えば特許文献１参照）。
【先行技術文献】
【特許文献】
【０００３】
【特許文献１】特開昭６１−２３６３１２号公報（第２〜３頁、第１〜４図）
【発明の概要】
【発明が解決しようとする課題】
【０００４】
上記のような従来の技術では、筐体側の扉はブレーカのＯＮ／ＯＦＦに関らず、工具操作式ツマミのロックを解除すればオープンすることができるので、メンテナンス時に、ＯＮ状態にあるブレーカの充電部に触れてしまう恐れがある。また、上記のような従来のコントロールセンタのインターロック機構は、ブレーカＯＮ状態時は扉をオープンできず、ブレーカＯＦＦ状態時に内部インターロックが解除され、扉をオープンできる構造となっているため、ブレーカ毎にインターロック用ハンドルと筐体扉側に何らかのインターロック構成部品が必要となり、部品点数が増加し構造も複雑化する問題があった。【０００５】
本発明は上記のような課題を解消するためになされたものであり、構成が簡素で、しかも充電部に誤って触れてしまう等の危険性を排除したメンテナンスを安全に行うことができる盤装置を提供することを目的としている。
【課題を解決するための手段】
【０００６】
本発明に係る盤装置は、配線用遮断器の入切ツマミの挿通穴を有すると共に、該配線用遮断器の露出された充電部を覆うように形成され所定部に係合部を有する保護カバーと、この保護カバーを開閉可能に支持するカバー支持部材と、前記保護カバーが閉じられているときに前記係合部と互いに係合して前記保護カバーの回動を規制するカバーロック部材を備えると共に、前記保護カバー、前記カバー支持部材、及び前記カバーロック部材の何れかが前記入切ツマミの動作に応じて移動可能に設けられ、その移動によって前記係合部と前記カバーロック部材とが係合または係脱されるようにしたものである。
【発明の効果】
【０００７】
本発明によれば、配線用遮断器毎に設けられた保護カバーのインターロックを個別に解除できるようにしたので、メンテナンス時に他の遮断器の充電部に誤って触れてしまう等の危険性がないため、メンテナンスを安全に行うことができる。そして保護カバー、カバー支持部材、及びカバーロック部材の何れかが前記入切ツマミの動作に応じて移動可能に設けられ、その移動によって前記係合部と前記カバーロック部材とが係合または係脱されるようにしたので、構成が簡素で部品点数を削減することができる。
【図面の簡単な説明】
【０００８】
【図１】本発明の実施の形態１における盤装置の全体構成を示す図である。
【図２】本発明の実施の形態１における盤装置の保護カバーのインターロック機構を説明する図である。
【図３】図２に示すインターロック機構の要部を詳細に説明する図である。
【図４】本発明の実施の形態２における盤装置の保護カバーのインターロック機構を説明する図である。
【図５】図４に示すインターロック機構の要部を詳細に説明する図である。
【図６】本発明の実施の形態３における盤装置の保護カバーのインターロック機構を説明する図である。
【図７】図６に示すインターロック機構の要部を詳細に説明する図である。
【図８】本発明の実施の形態４における盤装置の保護カバーのインターロック機構を説明する図である。
【図９】図８に示すインターロック機構の要部を詳細に説明する図である。
【図１０】本発明の実施の形態５における盤装置の保護カバーのインターロック機構を説明する図である。
【図１１】図１０に示すインターロック機構の要部を詳細に説明する図である。
【図１２】図１０に示すインターロック機構の要部を詳細に説明する別の図である。
【図１３】本発明の実施の形態６における盤装置の保護カバーのインターロック機構を説明する図である。
【図１４】図１３に示すインターロック機構の要部を詳細に説明する図である。
【図１５】図１３に示すインターロック機構の要部を詳細に説明する別の図である。
【図１６】本発明の実施の形態７における盤装置の保護カバーのインターロック機構を説明する図である。
【図１７】図１６に示すインターロック機構の要部を詳細に説明する図である。
【図１８】図１６に示すインターロック機構の要部を詳細に説明する別の図である。
【図１９】本発明の実施の形態８における盤装置の保護カバーのインターロック機構を説明する図である。
【図２０】図１９に示すインターロック機構の要部を詳細に説明する図である。
【図２１】図１９に示すインターロック機構の要部を詳細に説明する別の図である。
【発明を実施するための形態】
【０００９】
実施の形態１．
図１は本発明の実施の形態１における盤装置の全体構成を示す図であり、図１（ａ）は正面図、図１（ｂ）は斜視図である。図２は本発明の実施の形態１における盤装置の保護カバーのインターロック機構を説明する図であり、図２（ａ）はブレーカＯＮ、保護カバークローズ状態を示す斜視図、図２（ｂ）はブレーカＯＦＦ、保護カバー外側スライド状態を示す斜視図、図２（ｃ）はブレーカＯＦＦ、保護カバーオープン状態を示す斜視図である。図１において、盤装置としての分電盤１は、前面部に開閉扉１１ａを有する筐体１１と、筐体１１の内部に収容された複数の配線用遮断器であるブレーカ２と、各ブレーカ２の露出された充電部を個別に覆う保護カバー３を用いて構成されている。
【００１０】
なお、左右に並ぶ一対のブレーカ２は、この例では、入切ツマミ２１を内側方向（左右に並ぶ相手側のブレーカ２の方向）へ移動させたときにＯＮ、分電盤１の外側方向へ移動させたときにＯＦＦとなるように、互いに点対称的に配置されている。なお、便宜上本書では入切ツマミ２１のＯＮ、ＯＦＦ方向が左右方向となるように一対のブレーカ２が左右に並設されている場合に、任意の一方のブレーカから見て他方のブレーカの方向を「内側」方向、その反対方向を「外側」方向と呼ぶものとする。
【００１１】
図３は図２のインターロック機構をさらに詳細に説明する図であり、保護カバー３は図３（ｃ）に示すように断面形状が略コ字型に形成され、図３（ｃ）の上辺部及び下辺部には保護カバー開閉時の回動中心軸が挿通される長穴３ａが上下対称的に設けられ、さらに、後述するカバー支持部材４に対する係合用のセムスネジ９２ａが挿通される丸穴（周回ネジ用。以下同様）３ｂが同じく上下対称的に設けられ、前面部にはブレーカ２のＯＮ／ＯＦＦレバーである入切ツマミ２１が挿通される挿通穴３ｃが設けられている。さらに、保護カバー３の上辺部及び下辺部における長穴３ａとは反対側（盤の外側）の端部上下には、図３（ｃ）に示すように舌片状の突起からなる係合部３１が対向するように対称的に形成され、長穴３ａ側（内側）の前面部には充電部を監視するための監視窓３２が形成されている。係合部３１は後述するカバーロック部材５の係止部５１の位置や形状との見合いで、保護カバー３の回動中心から離れた所望の適宜の位置に決められた所定部に設けることができる。
【００１２】
なお、挿通穴３ｃは入切ツマミ２１の移動方向（ここでは左右方向）に長い矩形状で、例えば図の左側のブレーカ２については、保護カバー３を内側方向（右方向）端部にスライドさせて閉じた後、入切ツマミ２１をＯＮ（投入）したときに挿通穴３ｃの右端部と入切ツマミ２１の右側面が略当接する位置となるように形成されている。これにより、入切ツマミ２１のＯＮ状態では保護カバー３を外側方向（左方向）へスライド移動できないように規制されている。なお、挿通穴３ｃの左右方向の長さは、前記状態から入切ツマミ２１をＯＦＦ方向に倒しても挿通穴３ｃの左端部と入切ツマミ２１の左側面が当接して保護カバー３が外側に移動しない寸法に形成されている。
【００１３】
金具でなるカバー支持部材４は、ブレーカ２と共に筐体１１に対して固定されており、図３（ｄ）に示すように、前方方向に突出された上下の折曲片部には、保護カバー３を支持するためのネジ穴４ａと、このネジ穴４ａを中心とする円弧状の溝４ｂが対称的に形成されている。断面略コ字型の保護カバー３の内側に入り込む大きさのコ字形状に形成された金具で成るカバーロック部材５は、図２に示すようにブレーカ２または筐体１１などの適宜の固定部分に固定されており、保護カバー３を閉じたときの係合部３１と係合して保護カバー３の回動を規制するように外側から内側方向に切り欠くように形成された切欠き状ないしは溝状の上下２か所の係止部５１が設けられている。
【００１４】
図３に示すように、保護カバー３の長穴３ａには円筒状のスペーサ９１が挿通され、更にそのスペーサ９１の中心にはワッシャ組込みネジであるセムスネジ９２Ｏを貫通させ、カバー支持部材４に設けられたネジ穴４ａにナイロンワッシャ９３を介して締結、固定する。これにより、保護カバー３が長穴３ａに沿ってスライド移動できる状態になり、さらにセムスネジ９２Ｏのまわりに回動し得る状態となる。一方、保護カバー３の丸穴３ｂには表側から挿通されたセムスネジ９２ａに対して、裏側から円筒状のスペーサ９１とワッシャ９４をはめ込み、ナット９６によって図３（ｂ）のように締結・固定する。
【００１５】
なお、この実施の形態１では動作説明の便宜上、２つのセムスネジ９２を区別するため、保護カバー３が開閉されるときの回動中心軸を構成するものを「セムスネジ９２Ｏ」と呼び、セムスネジ９２Ｏの周りを保護カバー３と一体的に周回するように動作するものを「セムスネジ９２ａ」と呼ぶものとする。前記インターロック機構を除くその他の構成は従来のものと同様であるので説明を省略する。
【００１６】
次に、上記のように構成された実施の形態１の動作について説明する。まず、ブレーカ２のＯＮ状態時は、保護カバー３の丸穴３ｂ部に固定されているスペーサ９１は図２（ａ）、図３（ａ）に示すＡ位置となり、保護カバー３の長穴３ａを貫通して保護カバー３をスライド移動可能かつ回動可能に固定しているセムスネジ９２Ｏ部は、長穴３ａの外側（図３（ａ）の左側）の位置にあり、保護カバー３の裏側上下に形成されている突起からなる係合部３１は、図２（ａ）に示すように、カバーロック部材５の係止部５１にはまり込んだ状態で係止されているので、保護カバー３を開くことはできない。
【００１７】
そして、ブレーカ２のＯＮ状態時は入切ツマミ２１は内側に倒れ、保護カバー３の前面に設けている入切ツマミ２１を貫通させている挿通穴３ｃの内側端部（図３（ｃ）の右側端部）が入切ツマミ２１に当たりつかえていることで、保護カバー３を外側方向にスライド移動することはできず、結局、保護カバー３をオープンできない状態となっている。このため、ブレーカ２の図示を省略している充電部は保護カバー３によって保護されている。
【００１８】
次に、ブレーカ２をＯＦＦ状態にすると、図２（ｂ）のように入切ツマミ２１は外側に倒れ、保護カバー３は入切ツマミ２１が内側から外側に移動した距離と同じ距離だけ、外側にスライドできる状態となる。そして、図２（ｂ）の矢印で示すように保護カバー３を手動で外側にスライドさせると、保護カバー３の丸穴３ｂ部に固定されているスペーサ９１とセムスネジ９２ａはＢ位置になる一方、長穴３ａを貫通している保護カバー３の回動中心軸であるセムスネジ９２Ｏは長穴３ａの内側の位置に移動し、保護カバー３の裏側上下に形成されている突起からなる係合部３１はカバーロック部材５の係止部５１から外れ、保護カバー３をオープンできる状態になる。
【００１９】
そして保護カバー３の外側方向の端部を手前（前方側）に引くと、保護カバー３は長穴３ａの内側の位置に移動したセムスネジ９２Ｏのまわりに回動して、保護カバー３の丸穴３ｂを貫通しているスペーサ９１が、カバー支持部材４の円弧状の溝４ｂに沿ってＣ位置に移動し、保護カバー３がオープンする。保護カバー３の丸穴３ｂ部のスペーサ９１とセムスネジ９２ａが溝４ｂの端部のＣ位置で停止することにより、保護カバー３の開き角度を制限するとともに、保護カバー３の長穴３ａを貫通しているセムスネジ９２Ｏ部が支点となり、保護カバー３がオープン状態の時は、保護カバー３は内側に移動できなくなり、隣りの保護カバーとの干渉を防止できるようになっている。
【００２０】
もし保護カバー３がオープン状態にある時に、ブレーカ２を誤ってＯＮしてしまい、その状態で保護カバー３をクローズしようとすると、保護カバー３の裏面に入切ツマミ２１が当りクローズできず、さらに、保護カバー３を内側にスライドさせた状態で保護カバー３をクローズしようとすると、保護カバー３の裏側上下に設けてある係合部３１がカバーロック部材５に当り、何れにしても保護カバー３をクローズできないように構成されている。また、保護カバー３に監視窓３２を設けていることにより、保護カバー３をオープンすることなく、外部から安全に内部の充電部の端子変色等の確認をすることができる。
【００２１】
上記のように実施の形態１は、保護カバー３に長穴３ａを設けてカバー支持部材４に対してスライド移動可能に設けると共に、ブレーカ２のＯＮ位置では保護カバー３の挿通穴３ｃが入切ツマミ２１に干渉して保護カバー３をスライド移動できず、しかも保護カバー３の裏側上下に形成されている突起からなる係合部３１がカバーロック部材５の係止部５１にはまり込み、保護カバー３がオープンできなくなるようにしたものである。
【００２２】
これにより、ブレーカ２にインターロック用ハンドルなどを設けることなく、入切ツマミ２１のＯＮ／ＯＦＦ動作のみを利用して保護カバー３の開閉条件を構成し、ブレーカＯＮ状態時は保護カバー３をオープンできず、ブレーカＯＦＦ状態時にのみ保護カバー３をオープンすることができる。各ブレーカ２に設けられた保護カバー３のインターロック機構をブレーカ毎に解除できるので、メンテナンス時に他のブレーカの充電部に誤って触れてしまう等の危険性がないため、メンテナンスを安全に行うことができる。また、何れの部材も例えば板金加工で容易に形成でき、構成も簡素にできるので部品点数を削減することができる。また、ブレーカは標準的な規格品を用いることができるので安価に提供できるという効果も得られる。
【００２３】
実施の形態２．
図４は本発明の実施の形態２における盤装置の保護カバーのインターロック機構を説明する図であり、図４（ａ）はブレーカＯＮ、保護カバークローズ状態を示す斜視図、図４（ｂ）はブレーカＯＦＦ、保護カバー外側スライド状態を示す斜視図、図４（ｃ）はブレーカＯＦＦ、保護カバーオープン状態を示す斜視図である。図５は図４に示すインターロック機構をさらに詳細に説明する図であり、図５（ａ）はインターロック機構の詳細斜視図、図５（ｂ）は図５（ａ）のＸ方向から見た矢視図、図５（ｃ）は図５（ｂ）の丸で囲むＡ部詳細図、図５（ｄ）は図５（ｂ）の丸で囲むＢ部詳細図である。なお、実施の形態１は、ブレーカ２をＯＦＦ状態にした後に手動で保護カバー３を外側にスライドさせるようにしたが、本実施の形態２はブレーカ２をＯＦＦすると、保護カバー３Ａも同時にスライドし、保護カバー３Ａをオープンできるようにしたものである。
【００２４】
図４に示すように、カバー支持部材４Ａには、入切ツマミ２１に係合して該入切ツマミ２１に連動して該カバー支持部材４Ａ自体が図の左右方向にスライド移動するように形成された角穴４ｃと、保護カバー３Ａを図５（ｂ）の上下２か所で回動可能に支持するネジ９７を螺着するためのねじ穴４ａ（図５（ａ）、（ｃ）に図示）と、カバー支持部材４Ａをブレーカ２に対してスライド可能に保持するセムスネジ９２を挿通するための２箇所の長穴４ｄが設けられている。そして保護カバー３Ａの前面部には入切ツマミ２１を挿通する実施の形態１と同様の挿通穴３ｃ（図４（ｃ）に図示）が、上下には該保護カバー３Ａを回動可能に支持する前記ネジ９７を挿通するための丸穴３ｄが設けられている。保護カバー３Ａの上下の丸穴３ｄには、図５（ｃ）のように円筒状のスペーサ９１を貫通させ、更にそのスペーサ９１にネジ９７を貫通させ、カバー支持部材４Ａの上下のねじ穴４ａにナイロンワッシャ９３を介してネジ９７で固定し、スペーサ９１（ネジ９７）を軸に保護カバー３Ａが回転できるようにする。
【００２５】
カバー支持部材４Ａの角穴４ｃにはブレーカ２の入切ツマミ２１を差込み、２箇所の長穴４ｄは図５（ｄ）のように固定する。先ず、ブレーカ２の固定用穴２２にワッシャ９４よりも径の大きい大ワッシャ９４Ｌ、円筒状のスペーサ９１、ワッシャ９４の順に重ねて置き、その上に更にスペーサ９１をもう一つ置き、そのスペーサ９１にカバー支持部材４Ａの長穴４ｄを貫通させる。そしてそのスペーサ９１の上にワッシャ９４をもう一枚置き、セムスネジ９２でブレーカ２も一緒に固定する。そうするとカバー支持部材４Ａはブレーカ２のＯＮ／ＯＦＦ動作と連動して左右にスライド移動できるようになる。保護カバー３Ａはカバー支持部材４Ａに固定されているので、カバー支持部材４Ａと一緒に図４の左右にスライドする。カバーロック部材５など、その他の構成は実施の形態１と同様であるので説明を省略する。
【００２６】
上記のように構成された実施の形態２においては、ブレーカ２がＯＮ状態の時は、入切ツマミ２１は内側に倒れ、それと同時にカバー支持部材４Ａと保護カバー３Ａも内側にスライドする。その状態の時に保護カバー３Ａの裏側上下に設けている舌片状の突起からなる係合部３１がカバーロック部材５の係止部５１にはまり込み、保護カバー３Ａをオープンできなくなる。ブレーカ２をＯＦＦ状態にすると、入切ツマミ２１は外側に倒れ、それと同時にカバー支持部材４Ａと保護カバー３Ａも外側にスライドする。その外側にスライドした状態の時に保護カバー３Ａの裏側上下に設けている係合部３１がカバーロック部材５の係止部５１から外れ、保護カバー３Ａを手前に引くと、保護カバー３Ａがオープンできる。
【００２７】
もし保護カバー３Ａがオープン状態にある時に、ブレーカ２を誤ってＯＮしてしまい、その状態で保護カバー３Ａをクローズしようとした場合、入切ツマミ２１が内側に倒れると同時に、カバー支持部材４Ａと保護カバー３Ａも内側にスライドした状態になる。その状態の時に保護カバー３Ａをクローズしようとしても、保護カバー３Ａの裏側上下に設けている係合部３１がカバーロック部材５の上端部に当り、保護カバー３Ａをクローズできないようになっている。なお、実施の形態１と同様、保護カバー３Ａに設けられた監視窓３２により、保護カバー３Ａをオープンすることなく、外部から安全に内部の端子変色等の確認をすることができる。
【００２８】
上記のように実施の形態２によれば、ブレーカ２にインターロック用ハンドルを設けることなく、入切ツマミ２１のＯＮ／ＯＦＦ動作のみで保護カバー３の開閉条件を構成し、ブレーカ２のＯＮ状態時は保護カバー３Ａをオープンできず、ブレーカ２のＯＦＦ状態時にのみ保護カバー３Ａをオープンすることができる。各ブレーカ２に設けられた保護カバー３Ａのインターロック機構をブレーカ毎に解除できるので、メンテナンス時に他のブレーカの充電部に誤って触れてしまう等の危険性がないため、メンテナンスを安全に行うことができる。また、構成が簡素で部品点数を削減することができ、ブレーカ２は標準的な規格品を用いることができるので安価に提供できるという効果も得られる。
【００２９】
実施の形態３．
図６は本発明の実施の形態３における盤装置の保護カバーのインターロック機構を説明する図であり、図６（ａ）はブレーカＯＮ、保護カバークローズ状態を示す斜視図、図６（ｂ）はブレーカＯＦＦ、保護カバーオープン状態を示す斜視図、図６（ｃ）はインターロック機構の詳細斜視図である。図７は図６に示すインターロック機構の要部を詳細に説明する図であり、図７（ａ）は図６（ａ）の丸で囲むＡ部詳細図、図７（ｂ）は図６（ｂ）のＹ方向から見た矢視図である。なお、実施の形態３の上記実施の形態１、２との主な相違点は、保護カバー３Ｂはスライド移動せず、また上側から下方向に向かって開くようにした点と、カバーロック部材５Ｂを入切ツマミ２１と連動してスライド移動し得るように構成し、保護カバー３Ｂの開閉を制御するようにした点である。
【００３０】
図６において、カバーロック部材５Ｂには、その前面部に、入切ツマミ２１に係合して、該入切ツマミ２１の動作に応じて左右に移動し得るように形成された角穴５ａと、ブレーカ２に対して該カバーロック部材５Ｂをスライド移動可能に保持するための長穴５ｂが２箇所に設けられ、さらに上方向に突出された舌片状の突起からなる係止部５１Ｔが２箇所に設けられている。保護カバー３Ｂには、左右両下部に回動用の丸穴３ｄ（図示せず）、前面部に図６（ｃ）に示す入切ツマミ２１を挿通させる挿通穴３ｃ（図６（ｂ）参照）、そして上側部左右２箇所に前記係止部５１Ｔを受け入れるように係合するＬ字状の切れ込みからなる係合部３１Ｂ（図６（ｂ）参照）、が設けられ、監視窓３２も設けられている。そして、図６（ｃ）に示すように、保護カバー３Ｂを回動自在に支持するカバー支持部材は、対向された一対のブレーカ２の両外側部に取付けるカバー支持部材４Ｂ１と、中央部に取付けるカバー支持部材４Ｂ２からなり、何れもブレーカ２に固着されていて、移動されない。なお、略Ｔ字形状のカバー支持部材４Ｂ２は左右のブレーカ２に対して共用されている。
【００３１】
組み立てる際は図７（ｂ）に示すように、先ずブレーカ２の固定部にスペーサ９１とワッシャ９４を置き、更にその上にもう一つスペーサ９１を置き、そのスペーサ９１にカバーロック部材５Ｂの長穴５ｂを貫通させる。そして、そのスペーサ９１の上にもう一枚ワッシャ９４を置き、セムスネジ９２でブレーカ２と一緒に固定する。カバーロック部材５Ｂの前面の角穴５ａにはブレーカ２の入切ツマミ２１を差し込む。これにより、カバーロック部材５Ｂは入切ツマミ２１の動作と連動して左右にスライドする状態になる。
【００３２】
両サイド側に取付けるカバー支持部材４Ｂ１にはメネジが切られたネジ穴４ａ（図示省略。なお、この段落において、丸穴、スペーサ、ワッシャ、ナットなど、何れも図中への符号の表記を省略している。）を設け、中央部に取付けるカバー支持部材４Ｂ２には丸穴４ｅを設ける。保護カバー３Ｂの両サイド側は保護カバー３Ｂに設けている丸穴３ｄにスペーサ９１を貫通させ、そのスペーサ９１にセムスネジ９２を貫通させ、そのセムスネジ９２をカバー支持部材４Ｂ１のネジ穴４ａに取付ける。保護カバー３Ｂの中央部側は、左右の保護カバー３Ｂの中央部側のそれぞれの丸穴３ｄと、カバー支持部材４Ｂ２の丸穴４ｅにスペーサ９１を一緒に貫通させ、セムスネジ９２、ワッシャ９４、ナット９６で固定する。そうすることによって、左右の保護カバー３Ｂはそれぞれ上側から下方向にオープンできる状態となる。
【００３３】
上記のように構成された実施の形態３においては、ブレーカ２がＯＮ状態の時は入切ツマミ２１は内側に倒れ、それに連れてカバーロック部材５Ｂも同時に内側にスライドする。その状態の時にカバーロック部材５Ｂの上側２箇所に設けている係止部５１Ｔが、保護カバー３Ｂの上側２箇所に設けている係合部３１Ｂにはまり込み、保護カバー３Ｂがオープンできなくなる（図６（ｃ）参照）。
ブレーカ２をＯＦＦ状態にすると、ブレーカ２の入切ツマミ２１は外側に倒れ、それに連れてカバーロック部材５Ｂも同時に外側にスライドする。カバーロック部材５Ｂが外側にスライドすると、カバーロック部材５Ｂの上側に設けている２箇所の係止部５１Ｔが、保護カバー３Ｂの上側に設けている２箇所の係合部３１Ｂから外れ、保護カバー３Ｂがオープンできるようになる。
【００３４】
もし保護カバー３Ｂがオープン状態にある時に、ブレーカ２を誤ってＯＮしてしまい、その状態で保護カバー３Ｂをクローズしようとした場合、入切ツマミ２１は前記ＯＮ操作によって内側に倒れ、それに連れてカバーロック部材５Ｂも同時に内側にスライドした状態となっているので、その状態で保護カバー３Ｂをクローズしようとすると、カバーロック部材５Ｂの上側に設けてある２箇所の係止部５１Ｔと、保護カバー３Ｂの上側に設けてある２箇所の係合部３１Ｂが噛み合わない状態となり、保護カバー３Ｂをクローズできないようになっている。また、監視窓３２により、保護カバー３Ｂをオープンすることなく、外部から安全に内部の端子変色等の確認をすることができる。
【００３５】
上記のように実施の形態３によれば、ブレーカ２にインターロック用ハンドルを設けることなく、入切ツマミ２１のＯＮ／ＯＦＦ動作のみで保護カバー３Ｂの開閉条件を構成し、ブレーカ２のＯＮ状態時は保護カバー３Ｂをオープンできず、ブレーカ２のＯＦＦ状態時にのみ保護カバー３Ｂをオープンすることができる。各ブレーカ２に設けられた保護カバー３Ｂのインターロック機構をブレーカ毎に解除できるので、メンテナンス時に他のブレーカの充電部に誤って触れてしまう等の危険性がないため、メンテナンスを安全に行うことができる。また、構成が簡素で部品点数を削減することができ、ブレーカ２は標準的な規格品を用いることができるので安価に提供できるという効果も得られる。
【００３６】
実施の形態４．
図８は本発明の実施の形態４における盤装置の保護カバーのインターロック機構を説明する図であり、図８（ａ）はブレーカＯＮ、保護カバークローズ状態を示す斜視図、図８（ｂ）はブレーカＯＦＦ、保護カバー外側スライド状態を示す斜視図、図８（ｃ）はブレーカＯＦＦ、保護カバーオープン状態を示す斜視図である。図９は図８に示すインターロック機構をさらに詳細に説明する図であり、図９（ａ）はインターロック機構の詳細斜視図、図９（ｂ）は図９（ａ）のＺ方向から見た要部矢視図である。なお、この実施の形態４は、保護カバー３Ｃ及びその回動中心軸を入切ツマミ２１の動作に応じてスライド移動可能に設けると共に、係合部３１Ｃを、回動中心軸から半径方向に所定長離れた位置に前記回動中心軸と平行に設けた係合ピンによって構成する一方、カバーロック部材５Ｃを、前記係合ピンをガイドするスライド移動の方向と平行でスライド移動寸法と同等の寸法の直線部とその直線部に連なる円弧部によって形成されたスリット状のガイド溝からなる係止部５１Ｓを有する板状のガイド部材によって構成するようにしたものである。
【００３７】
図９（ａ）に示すように、断面コ字状の保護カバー３Ｃには、上辺部及び下辺部に丸穴３ｄを１箇所ずつ、そして丸穴３ｄから半径方向に所定寸法離れた位置に係合ピンからなる係合部３１Ｃを１本立設し、前面部には入切ツマミ２１を挿通する実施の形態１と同様の挿通穴３ｃ（図８（ｃ）に図示）を設ける。カバー支持部材４Ｃの上下部には左右方向に長い長穴４ｄを１箇所ずつ設ける。図９（ｂ）に示すように、保護カバー３Ｃの丸穴３ｄとカバー支持部材４Ｃの長穴４ｄ（図示せず）をナイロンワッシャ９３を介して重ね合わせ、裏側から円筒状のスペーサ９１を差込み、セムスネジ９２、ワッシャ９４、ナット９６で固定する。カバー支持部材４Ｃはブレーカ２に固定されていて移動しない。カバーロック部材５Ｃは、長穴４ｄの方向、即ち保護カバー３Ｃのスライド移動の方向と平行でスライド移動寸法と同等の寸法の直線部５１ａとその直線部５１ａに連なる円弧部５１ｂによって形成された前記係合部３１Ｃに係合するガイド溝でなる係止部５１Ｓを有する板材よって構成する。カバーロック部材５Ｃは、図示省略している固定部材によって筐体１１（図１に図示）に固定する。
【００３８】
そして、保護カバー３Ｃに立設されている係合部３１Ｃは図９（ａ）のように、カバーロック部材５Ｃの係止部５１Ｓにはめ込む。なお、係止部５１Ｓの直線部５１ａの端部をＡ位置、直線部５１ａと円弧部５１ｂの接続部分をＢ位置、円弧部５１ｂの端部をＣ位置とし、長穴４ｄの内側端部をＥ位置、外側端部をＦ位置とすると、保護カバー３Ｃを内側にスライドし、閉じた状態では、保護カバー３Ｃの回動中心軸はＥ位置、係合ピンでなる係合部３１ＣはＡ位置にある。保護カバー３Ｃを外側にスライドすると、回動中心軸はＦ位置、係合部３１ＣはＢ位置に移動する。円弧部５１ｂの中心は回動中心軸がＦ位置にあるときの中心と一致するように形成されている。そうすることにより、保護カバー３Ｃはカバー支持部材４Ｃの長穴４ｄと、カバーロック部材５Ｃの係止部５１Ｓに沿って移動できるようになる。そして保護カバー３Ｃの前面の挿通穴３ｃには、ブレーカ２の入切ツマミ２１を差込む。保護カバー３Ｃには監視窓３２が設けられている。
【００３９】
上記のように構成された実施の形態４においては、ブレーカ２がＯＮ状態の時は、入切ツマミ２１は内側に倒れ、保護カバー３Ｃも内側に寄った状態となっていて、保護カバー３Ｃの回動中心軸は、カバー支持部材４Ｃの長穴４ｄの内側方向のＥ位置にあり、保護カバー３Ｃの係合部３１ＣはＡ位置となる。このとき、保護カバー３Ｃの挿通穴３ｃの内側方向の端部は入切ツマミ２１に当接しており、保護カバー３Ｃは外側方向にスライドできない状態となっている。その状態で保護カバー３Ｃを手前にオープンしようとすると、保護カバー３Ｃの係合部３１Ｃがカバーロック部材５Ｃの係止部５１Ｓにおける直線部５１ａの回動中心軸側のＤ面に干渉するため、保護カバー３Ｃをオープンできない。この例では、係止部５１Ｓにおける直線部５１ａが実質的な係止部となっている。
【００４０】
ブレーカ２をＯＦＦ状態にすると、入切ツマミ２１は外側に倒れ保護カバー３Ｃは外側にスライドできる状態となる。そして保護カバー３Ｃを手動で外側にスライドさせると、保護カバー３Ｃの回動中心軸の位置は、カバー支持部材４Ｃの長穴４ｄの外側のＦ位置になり、保護カバー３Ｃの係合部３１ＣはＢ位置となる。その状態で保護カバー３Ｃを手前にオープンすると、保護カバー３Ｃの回動中心軸となるセムスネジ９２が支点となり、係合部３１Ｃがカバーロック部材５Ｃの係止部５１Ｓの円弧部５１ｂに沿ってＢ位置からＣ位置へ移動し、保護カバー３Ｃをオープンできる。そして保護カバー３Ｃの係合部３１ＣがＣ位置で停止することで、保護カバー３Ｃの開き角度を制限でき、保護カバー３Ｃがオープン状態の時に保護カバー３Ｃを内側に引っ張っても、Ｃ位置にある係合部３１Ｃがカバーロック部材５Ｃの係止部５１Ｓに引っ掛かり、保護カバー３Ｃは内側に寄ることができないため、対向されたブレーカ２の保護カバー３Ｃとの干渉を防止することができる。
【００４１】
もし保護カバー３Ｃがオープン状態にある時に、ブレーカ２を誤ってＯＮしてしまい、その状態で保護カバー３Ｃをクローズしようとした場合、保護カバー３Ｃの裏側の面が入切ツマミ２１に当り、保護カバー３Ｃを完全にクローズできない状態となる。そして保護カバー３Ｃの係合部３１Ｃが、カバーロック部材５Ｃの係止部５１Ｓの円弧上で停止するため、係合部３１ＣはＢ位置まで移動できず、保護カバー３Ｃは内側にスライドできず．保護カバー３Ｃをクローズできないようになっている。
【００４２】
上記のように実施の形態４によれば、ブレーカ２のＯＮ状態時は保護カバー３Ｃをオープンできず、ブレーカ２のＯＦＦ状態時にのみ保護カバー３Ｃをオープンすることができるなど実施の形態１〜３と同様の効果が得られる。
なお、保護カバー３Ｃの係合部３１Ｃを係合ピンによって構成し、カバーロック部材５Ｃの係止部５１Ｓを直線部とその直線部に連なる円弧部によって形成されたスリット状のガイド溝によって構成したが、保護カバー３Ｃ側にガイド溝を設け、カバーロック部材５Ｃの係止部５１Ｓを係合ピンによって構成することもできる。
【００４３】
実施の形態５．
図１０は本発明の実施の形態５における盤装置の保護カバーのインターロック機構を説明する図であり、図１０（ａ）はブレーカＯＮ、保護カバークローズ状態を示す斜視図、図１０（ｂ）はブレーカＯＦＦ、保護カバーオープン状態を示す斜視図である。図１１は図１０に示すインターロック機構をさらに詳細に説明する図であり、図１１（ａ）はインターロック機構の詳細斜視図、図１１（ｂ）は図１０（ａ）の丸で囲むＧ部詳細図である。図１２（ａ）は図１１（ａ）のＲ方向から見た矢視図、図１２（ｂ）は図１２（ａ）の丸で囲むＥ部詳細図である。なお、本実施の形態５は、上記実施の形態３のブレーカ２を１８０度回転させて配置した場合の例である。実施の形態３では入切ツマミ２１が内側でＯＮ、外側でＯＦＦ状態となるようにブレーカ２を配置したが、本実施の形態５では入切ツマミ２１が外側でＯＮ、内側でＯＦＦ状態となるように配置されている。
【００４４】
インターロック機構は実施の形態３と基本的に同じとなっており、カバーロック部材５Ｄには、その前面部に、入切ツマミ２１に係合させる角穴５ａと、ブレーカ２に対して該カバーロック部材５Ｄをスライド移動可能に保持するための長穴５ｂが２箇所に設けられ、さらに上方向に突出された舌片状の突起からなる係止部５１Ｔが合計２箇所に設けられている。入切ツマミ２１のＯＮ／ＯＦＦ方向が実施の形態３と反対になっていることに伴い、係止部５１Ｔを受け入れるように係合させる保護カバー３Ｄに設けているＬ字状の切れ込みからなる２箇所の係合部３１Ｄは、図１１（ｂ）に示すように、図６（ｃ）に示す実施の形態３の場合とは溝の方向が反対になっている。保護カバー３Ｄの開方向や監視窓３２など、その他の構成は実施の形態３と同様であるので説明を省略する。
【００４５】
上記のように構成された実施の形態５においては、ブレーカ２のＯＮ状態時に入切ツマミ２１と連動して動くカバーロック部材５Ｄに設けている２箇所の係止部５１Ｔが、保護カバー３Ｄに設けている２箇所の係合部３１Ｄにはまり込み、保護カバー３Ｄをオープンできないようにしたものであり、実施の形態１〜３と同様の効果が得られる。
【００４６】
実施の形態６．
図１３は本発明の実施の形態６における盤装置の保護カバーのインターロック機構を説明する図であり、図１３（ａ）はブレーカＯＮ、保護カバークローズ状態を示す斜視図、図１３（ｂ）はブレーカＯＦＦ、保護カバーオープン状態を示す斜視図である。図１４は図１３に示すインターロック機構をさらに詳細に説明する図であり、図１４（ａ）はインターロック機構の詳細斜視図、図１４（ｂ）は図１３（ａ）の丸で囲むＨ部詳細図である。図１５の（ａ）は図１４（ａ）のＳ方向から見た矢視図、図１５（ｂ）は図１５（ａ）の丸で囲むＦ部詳細図、図１５（ｃ）は図１４（ａ）のＴ方向から見た矢視図、図１５（ｄ）は図１５（ｃ）の丸で囲むＩ部詳細図である。なお、本実施の形態６は実施の形態５と同様、入切ツマミ２１が外側でＯＮ、内側でＯＦＦ状態となるようにブレーカ２を配置した場合の一例である。
【００４７】
カバーロック部材５Ｅには、前面部に入切ツマミ２１に係合させる角穴５ａと、スライド移動用の２箇所の長穴５ｂを、そして上下部に舌片状の突起からなる係止部５１Ｔを設ける。保護カバー３Ｅには、上下部にＬ字状の切れ込みからなる係合部３１Ｅと回動用の丸穴３ｄ（図示せず）、前面部に入切ツマミ２１を単に挿通させる挿通穴３ｃを設ける。先ずブレーカ２のそれぞれの内側の固定用穴２２（図１５（ｂ）に図示）にカバー支持部材４Ｅを置き、その上に円筒状のスペーサ９１とワッシャ９４を重ねて置く。更にその上にスペーサ９１を置き、そのスペーサ９１をカバーロック部材５Ｅの片方の長穴５ｂに貫通させる。このとき、カバーロック部材５Ｅの角穴５ａに入切ツマミ２１も貫通させておく。貫通後にワッシャ９４を置き、セムスネジ９２で一括固定する。
【００４８】
ブレーカ２の外側の固定用穴２２（図１５（ｂ）に図示）にはワッシャ９４と比較して大きめの大ワッシャ９４Ｌを置き、その上に円筒状のスペーサ９１とワッシャ９４を２枚重ねて置く。更にスペーサ９１を置き、そのスペーサ９１をカバーロック部材５Ｅのもう片方の長穴５ｂに貫通させる。貫通後にワッシャ９４を置き、セムスネジ９２で一括固定する。そうすることにより、カバーロック部材５Ｅが入切ツマミ２１のＯＮ／ＯＦＦ動作と連動して左右にスライドする状態となる。次に、図１４（ａ）に示すように、保護カバー３Ｅの上下の丸穴３ｄ（図示せず）にスペーサ９１（図示せず）を貫通させ、更にそのスペーサ９１（図示せず）にセムスネジ９２（図示せず）を貫通させ、カバー支持部材４Ｅの上下のネジ穴４ａに固定する。そうすることにより、保護カバー３Ｅが回転できる状態となる。なお、監視窓３２などの構成は他の実施の形態と同様である。
【００４９】
上記のように構成された実施の形態６においては、ブレーカ２のＯＮ状態時は入切ツマミ２１は外側に倒れ、それに連れてカバーロック部材５Ｅも外側にスライドする。カバーロック部材５Ｅが外側にスライドすると、カバーロック部材５Ｅの上下の係止部５１Ｔが、保護カバー３Ｅの上下の係合部３１Ｅにはまり込み、保護カバー３Ｅをオープンできなくなる。ブレーカ２をＯＦＦ状態にすると入切ツマミ２１は内側に倒れ、それに連れてカバーロック部材５Ｅも内側にスライドする。カバーロック部材５Ｅが内側にスライドすると、カバーロック部材５Ｅの上下の係止部５１Ｔが保護カバー３Ｅの上下の係合部３１Ｅから外れ、保護カバー３Ｅがオープンできる状態となる。そして保護カバー３Ｅを手前側に引くと保護カバー３Ｅがオープンする。
【００５０】
もし保護カバー３Ｅがオープン状態にある時に、ブレーカ２を誤ってＯＮしてしまい、その状態で保護カバー３Ｅをクローズしようとした場合、ブレーカ２のＯＮ状態の時は入切ツマミ２１は外側に倒れ、それに連れてカバーロック部材５Ｅも同時に外側にスライドした状態となる。その状態の時に保護カバー３Ｅをクローズしようとした場合、カバーロック部材５Ｅの上下に設けてある２箇所の係止部５１Ｔと、保護カバー３Ｅの上下に設けてある２箇所の係合部３１Ｅが噛み合わない状態となり、保護カバー３Ｅをクローズできないようになっている。
【００５１】
上記のように実施の形態６によれば、ブレーカ２の入切ツマミ２１のＯＮ／ＯＦＦ動作のみで保護カバー３Ｅの開閉条件を構成し、ブレーカ２のＯＮ状態時は保護カバー３Ｅをオープンできず、ブレーカ２のＯＦＦ状態時にのみ保護カバー３Ｅをオープンすることができる。各ブレーカ２に設けられた保護カバー３Ｅのインターロック機構をブレーカ毎に解除できるのでメンテナンスを安全に行うことができ、構成が簡素で部品点数を削減することができ、ブレーカ２は標準的な規格品を用いることができるので安価に提供できるなど、実施の形態１と同様の効果が得られる。
【００５２】
実施の形態７．
図１６は本発明の実施の形態７における盤装置の保護カバーのインターロック機構を説明する図であり、図１６（ａ）はブレーカＯＮ、保護カバークローズ状態を示す斜視図、図１６（ｂ）はブレーカＯＦＦ、保護カバーオープン状態を示す斜視図、図１６（ｃ）は図１６（ａ）の丸で囲むＪ部詳細図である。図１７は図１６に示すインターロック機構をさらに詳細に説明する図であり、図１７（ａ）はインターロック機構の詳細斜視図、図１７（ｂ）は図１６（ａ）の丸で囲むＣ部詳細図である。図１８（ａ）は図１７（ａ）のＱ方向から見た要部矢視図、図１８（ｂ）は図１８（ａ）の丸で囲むＤ部詳細図である。なお、本実施の形態７はブレーカ２を縦方向にして左右に並べて配置した場合の一例であり、入切ツマミ２１を下側に倒すとＯＮ、上側に倒すとＯＦＦとなり、カバーロック部材５Ｆが入切ツマミ２１と連動して上下方向にスライド移動し、ブレーカ２がＯＮ状態の時は、カバーロック部材５Ｆの左右に突出された舌片状の係止部５１Ｔが保護カバー３Ｆの左右に形成されたＬ字状の切れ込みからなる係合部３１Ｆにはまり込み、保護カバー３Ｆがオープンできなくなるようにしたものである。
【００５３】
カバーロック部材５Ｆには、その前面部に入切ツマミ２１に係合させる角穴５ａと、スライド移動用の２箇所の長穴５ｂを設け、左右部には保護カバー３Ｆの係合部３１Ｆにはまり込む舌片状の係止部５１Ｔを設ける。一方、保護カバー３Ｆには、その前面部に入切ツマミ２１を単に挿通させる挿通穴３ｃ、左右部にはカバーロック部材５Ｆの係止部５１Ｔがはまり込む係合部３１Ｆと、保護カバー３Ｆの回動用の丸穴３ｄ（図示省略）を設ける。そして、カバー支持部材４Ｆの左右部に保護カバー３Ｆを回動可能に固定するための丸穴４ｅ（図示省略）を設ける。なお、監視窓３２などの構成は他の実施の形態と同様である。
【００５４】
組立の際には、先ずブレーカ２のそれぞれの固定用穴２２（図１８（ｂ）に図示）に大ワッシャ９４Ｌを置き、その上にスペーサ９１とワッシャ９４を重ねて置く。更にその上にスペーサ９１を置き、そのスペーサ９１をカバーロック部材５Ｆのそれぞれの長穴５ｂに貫通させ、同時にカバーロック部材５Ｆの角穴５ａに入切ツマミ２１も貫通させる。そしてセムスネジ９２で一括固定する。これにより、カバーロック部材５Ｆは入切ツマミ２１のＯＮ／ＯＦＦ動作に連れて上下にスライドする状態となる。次に、図１６に示すように保護カバー３Ｆの左右にある丸穴３ｄ（図示省略）と、カバー支持部材４Ｆの左右にある保護カバー３Ｆ固定用の丸穴４ｅ（図示省略）にスペーサ９１（図示省略）を同時に貫通させ、セムスネジ９２、ナット９６で固定する。そうすることにより、保護カバー３Ｆはブレーカ２の上側から下側に向かって回転できる状態となる。
【００５５】
上記のように構成された実施の形態７においては、ブレーカＯＮ状態の時は入切ツマミ２１は下側に倒れ、それに連れてカバーロック部材５Ｆも下側にスライドする。カバーロック部材５Ｆが下側にスライドすると、カバーロック部材５Ｆの左右に設けている係止部５１Ｔが、保護カバー３Ｆの左右に設けている係合部３１Ｆにはまり込み、保護カバー３Ｆをオープンできなくなる。ブレーカ２をＯＦＦ状態にすると、入切ツマミ２１は上側に倒れ、それに連れてカバーロック部材５Ｆも上側にスライドする。カバーロック部材５Ｆが上側にスライドすると、カバーロック部材５Ｆの係止部５１Ｔが保護カバー３Ｆの係合部３１Ｆから外れ、保護カバー３Ｆをオープンできる状態となる。そして保護カバー３を手前側に引くと、保護カバー３Ｆがオープンする。
【００５６】
もし保護カバー３Ｆがオープン状態にある時に、ブレーカ２を誤ってＯＮしてしまい、その状態で保護カバー３Ｆをクローズしようとした場合、ブレーカ２のＯＮ状態の時は入切ツマミ２１は下側に倒れ、それに連れてカバーロック部材５Ｆも同時に下側にスライドした状態となる。その状態の時に保護カバー３Ｆをクローズしようとした場合、カバーロック部材５Ｆの左右に設けてある２箇所の係止部５１Ｔと、保護カバー３Ｆの左右に設けてある２箇所の係合部３１Ｆが噛み合わない状態となり、保護カバー３Ｆをクローズできないようになっている。
【００５７】
上記のように実施の形態７によれば、ブレーカ２の入切ツマミ２１のＯＮ／ＯＦＦ動作のみで保護カバー３Ｆの開閉条件を構成し、ブレーカ２のＯＮ状態時は保護カバー３Ｆをオープンできず、ブレーカ２のＯＦＦ状態時にのみ保護カバー３Ｆをオープンすることができる。各ブレーカ２に設けられた保護カバー３Ｆのインターロック機構をブレーカ毎に解除できるのでメンテナンスを安全に行うことができ、構成が簡素で部品点数を削減することができ、ブレーカ２は標準的な規格品を用いることができるので安価に提供できるなど、実施の形態１と同様の効果が得られる。
【００５８】
実施の形態８．
図１９は本発明の実施の形態８における盤装置の保護カバーのインターロック機構を説明する図であり、図１９（ａ）はブレーカＯＮ、保護カバークローズ状態を示す斜視図、図１９（ｂ）はブレーカＯＦＦ、保護カバーオープン状態を示す斜視図、図１９（ｃ）は図１９（ａ）の丸で囲むＫ部詳細図である。図２０は図１９に示すインターロック機構をさらに詳細に説明する図であり、図２０（ａ）はインターロック機構の詳細斜視図、図２０（ｂ）は図１９（ａ）の丸で囲むＡ部詳細図である。図２１（ａ）は図２０（ａ）のＰ方向から見た要部矢視図、図２１（ｂ）は図２１（ａ）の丸で囲むＢ部詳細図である。なお、本実施の形態８は実施の形態７と同様、ブレーカ２を縦にして並置した場合のインターロック機構であるが、ブレーカ２のＯＮ／ＯＦＦ方向が逆となり、ブレーカＯＮ状態時は入切ツマミ２１は上側に倒れ、ブレーカ２のＯＦＦ状態時は下側に倒れるように配置した場合の一例である。カバーロック部材５Ｇは入切ツマミ２１と連動して動くようになっており、ブレーカ２のＯＮ状態時はカバーロック部材５Ｇの上方向に突出された舌片状の突起からなる係止部５１Ｔが、保護カバー３Ｇの上側に設けているスリット状の穴からなる係合部３１Ｇにはまり込み、保護カバー３Ｇがオープンできなくなるようにしたものである。
【００５９】
カバーロック部材５Ｇの前面部には入切ツマミ２１に係合させる角穴５ａと、該カバーロック部材５Ｇをスライド移動可能に保持するための２箇所の長穴５ｂを設け、上側には保護カバー３Ｇの係合部３１Ｇにはまり込む係止部５１Ｔを設ける。保護カバー３Ｇには前面部に入切ツマミ２１を単に挿通させる挿通穴３ｃ、上側にはカバーロック部材５Ｇの係止部５１Ｔがはまり込む前記係合部３１Ｇ、そして左右部には保護カバー３Ｇの回動用の丸穴３ｄ（図示省略）を設ける。カバー支持部材４Ｇには左右部に保護カバー３Ｇを固定するための丸穴４ｅ（図示省略）を設ける。
【００６０】
なお、カバーロック部材５Ｇをブレーカ２に対して入切ツマミ２１のＯＮ／ＯＦＦ動作に連動して上下にスライド移動させる構造、及び保護カバー３Ｇをブレーカ２の上側から下側に向かって回転できる状態にする構造は実施の形態７と同様であるので説明を省略する。なお、実施の形態８の実施の形態７との上記の他の相違点は、係止部５１Ｔが左右方向に突出されているのに対して、上方向に突出されている点、及び係合部３１ＧがＬ字状の切れ込みからなる形状に対して、保護カバー３Ｇの表面部上端に奥側に形成された折曲片に設けられたスリット状の穴からなっている点である。
【００６１】
上記のように構成された実施の形態８においては、ブレーカ２のＯＮ状態時は入切ツマミ２１は上側に倒れ、それに連れてカバーロック部材５Ｇも上側にスライドする。カバーロック部材５Ｇが上側にスライドすると、カバーロック部材５Ｇの上側に設けている係止部５１Ｔが、保護カバー３Ｇの上側に設けている係合部３１Ｇにはまり込み、保護カバー３Ｇをオープンできなくなる。ブレーカ２をＯＦＦ状態にすると入切ツマミ２１は下側に倒れ、それに連動してカバーロック部材５Ｇも下側にスライドする。カバーロック部材５Ｇが下側にスライドすると、カバーロック部材５Ｇの係止部５１Ｔが保護カバー３Ｇの係合部３１Ｇから外れ、保護カバー３Ｇがオープンできる状態となる。そして保護カバー３Ｇを手前側に引くと、保護カバー３Ｇがオープンする。
【００６２】
保護カバー３Ｇがオープン状態にある時に、ブレーカ２を誤ってＯＮしてしまい、その状態で保護カバー３Ｇをクローズしようとした場合、ブレーカ２のＯＮ状態の時は入切ツマミ２１は上側に倒れ、それに連れてカバーロック部材５Ｇも同時に上側にスライドした状態となる。その状態の時に保護カバー３Ｇをクローズしようとした場合、保護カバー３Ｇの係合部３１Ｇを設けている折曲片が、上方にスライド移動しているカバーロック部材５Ｇの係止部５１Ｔと干渉し、保護カバー３Ｇをクローズできないようになっている。
【００６３】
上記のように実施の形態８によれば、ブレーカ２の入切ツマミ２１のＯＮ／ＯＦＦ動作のみで保護カバー３Ｇの開閉条件を構成し、ブレーカ２のＯＮ状態時は保護カバー３Ｇをオープンできず、ブレーカ２のＯＦＦ状態時にのみ保護カバー３Ｇをオープンすることができる。各ブレーカ２に設けられた保護カバー３Ｇのインターロック機構をブレーカ毎に解除できるのでメンテナンスを安全に行うことができ、構成が簡素で部品点数を削減することができ、ブレーカ２は標準的な規格品を用いることができるので安価に提供できるなど、実施の形態１と同様の効果が得られる。
【００６４】
上記のように、本発明の盤装置に関して例示した各実施の形態は、保護カバーのインターロック機構を、保護カバー３、カバー支持部材４、及びカバーロック部材５の何れかを入切ツマミ２１の動作に応じて該入切レバーの動作方向と平行にスライド移動し得るように設け、何れの場合も入切ツマミ２１の投入位置においては保護カバー３の係合部３１がカバーロック部材５に係止されて開くことができないように構成したものである。因みに、実施の形態１、及び実施の形態４では保護カバー３、及び保護カバー３Ｃをスライドさせ、実施の形態２ではカバー支持部材４Ｂをスライドさせ、実施の形態３、及び実施の形態５〜８ではカバーロック部材５Ｂ、及びカバーロック部材５Ｄ〜５Ｇをスライドさせるように構成されている。何れの場合も保護カバーのインターロック機構をブレーカ毎に設けることで、メンテナンス時に他の遮断器の充電部に触れてしまう危険性がなく、安全にメンテナンスが行える。また、構成が簡素で部品点数を削減することができるほか、ブレーカの様々なレイアウトにも対応できるという顕著な効果が得られる。
【００６５】
なお、本発明は、その発明の範囲内において、各実施の形態の一部または全部を自由に組合せたり、各実施の形態を適宜、変形、省略することが可能である。例えば、セムスネジ９２やネジ９７等のネジの種類や形状、材質、固定手法、など、適宜変更できることは言うまでもない。また、盤装置が分電盤である場合について説明したが、制御盤などにも好ましく用いることができる。また、ブレーカ２は必ずしも対で設置されている必要はなく、また、左右に対で設置した場合に左右独立に動作できることは当然である。また、係合部３１（３１Ｂ〜３１Ｆ）と係止部５１（５１Ｔ、５１Ｓ）の係合形状を逆に構成するなどの変更もできる。
【符号の説明】
【００６６】
１  分電盤、１１  筐体、１１ａ  開閉扉、２  ブレーカ、
２１  入切ツマミ、２２  固定用穴、
３、３Ａ、３Ｂ、３Ｃ、３Ｄ、３Ｅ、３Ｆ、３Ｇ  保護カバー、
３ａ  長穴、３ｂ  丸穴（周回ネジ用）、３ｃ  挿通穴、
３ｄ  丸穴（回動用）、
３１、３１Ｂ、３１Ｃ、３１Ｄ、３１Ｅ、３１Ｆ、３１Ｇ  係合部、
３２  監視窓、４、４Ａ、４Ｃ、４Ｅ、４Ｆ、４Ｇ  カバー支持部材、
４Ｂ１  カバー支持部材、４Ｂ２  カバー支持部材、４ａ  ネジ穴、
４ｂ  溝、４ｃ  角穴、４ｄ  長穴、４ｅ  丸穴、
５、５Ｂ、５Ｃ、５Ｄ、５Ｅ、５Ｆ、５Ｇ  カバーロック部材、
５ａ  角穴、５ｂ  長穴、５１  係止部（溝）、
５１Ｔ  係止部（舌片）、５１Ｓ  係止部（スリット）５１ａ  直線部、
５１ｂ  円弧部、９１  スペーサ、９２、９２ａ、９２Ｏ  セムスネジ、
９３  ナイロンワッシャ、９４  ワッシャ、９４Ｌ  大ワッシャ、
９６  ナット、９７  ネジ。
【図１】
2015029528.tif 000003
【図２】
2015029528.tif 000004
【図３】
2015029528.tif 000005
【図４】
2015029528.tif 000006
【図５】
2015029528.tif 000007
【図６】
2015029528.tif 000008
【図７】
2015029528.tif 000009
【図８】
2015029528.tif 000010
【図９】
2015029528.tif 000011
【図１０】
2015029528.tif 000012
【図１１】
2015029528.tif 000013
【図１２】
2015029528.tif 000014
【図１３】
2015029528.tif 000015
【図１４】
2015029528.tif 000016
【図１５】
2015029528.tif 000017
【図１６】
2015029528.tif 000018
【図１７】
2015029528.tif 000019
【図１８】
2015029528.tif 000020
【図１９】
2015029528.tif 000021
【図２０】
2015029528.tif 000022
【図２１】
2015029528.tif 000023
【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
配線用遮断器の入切ツマミの挿通穴を有すると共に、該配線用遮断器の露出された充電部を覆うように形成され所定部に係合部を有する保護カバーと、この保護カバーを開閉可能に支持するカバー支持部材と、前記保護カバーが閉じられているときに前記係合部と互いに係合して前記保護カバーの回動を規制するカバーロック部材を備えると共に、前記保護カバーまたは前記カバー支持部材が、前記入切ツマミの動作に応じて移動可能に設けられ、その移動によって前記係合部と前記カバーロック部材とが係合または係脱されるようにしていることを特徴とする盤装置。
【請求項２】
配線用遮断器の入切ツマミの挿通穴を有すると共に、該配線用遮断器の露出された充電部を覆うように形成され所定部に係合部を有する保護カバーと、この保護カバーを開閉可能に支持するカバー支持部材と、前記保護カバーが閉じられているときに前記係合部と互いに係合して前記保護カバーの回動を規制するカバーロック部材を備えると共に、前記カバーロック部材が前記入切ツマミの動作に応じて移動可能に設けられ、その移動によって前記係合部と前記カバーロック部材とが係合または係脱されるようにし、前記保護カバーは、前記カバー支持部材に回動自在に支持されつつ開閉されるようにしていることを特徴とする盤装置。
【請求項３】
前記保護カバー、前記カバー支持部材、及び前記カバーロック部材の何れかが、前記入切ツマミの前記挿通穴を介した前記入切ツマミの動作に応じて移動可能に設けられていることを特徴とする請求項１または請求項２に記載の盤装置。
【請求項４】
前記保護カバーに、前記充電部を視認可能な監視窓が設けられていることを特徴とする請求項１から３のいずれか１項に記載の盤装置。
【請求項５】
前記保護カバーが開放状態のときに前記入切ツマミが投入されている状態では、該保護カバーは、前記カバーロック部材または前記入切ツマミに干渉して閉成不能となるようにしていることを特徴とする請求項１から４のいずれか１項に記載の盤装置。
【請求項６】
前記保護カバーは前記カバー支持部材に対して前記入切ツマミの動作方向と平行にスライド移動可能に保持され、前記挿通穴の前記動作方向の寸法は前記入切ツマミの動作範囲と同等に形成され、前記入切ツマミの投入位置では、前記挿通穴の一端部が該入切ツマミと干渉してスライド移動が規制され、かつ前記係合部と前記カバーロック部材との係合が保持され、前記入切ツマミの切断位置では前記保護カバーが該切断位置の方向にスライド移動可能となり、スライド移動させた位置で前記係合部と前記カバーロック部材とが係脱し得るようにしていることを特徴とする請求項１から５のいずれか１項に記載の盤装置。
【請求項７】
前記カバー支持部材は、前記入切ツマミと連動されて該入切ツマミの動作方向と平行にスライド移動可能に設けられ、所定部で前記保護カバーを回動可能に軸支していることを特徴とする請求項１から５のいずれか１項に記載の盤装置。
【請求項８】
前記カバーロック部材は、前記入切ツマミに連動されて該入切ツマミの動作方向と平行にスライド移動可能に設けられ、所定部に前記係合部と係合し得る係止部が形設されていることを特徴とする請求項１から５のいずれか１項に記載の盤装置。
【請求項９】
前記係合部、及び前記係止部の一方は、舌片状の突起からなり、他方はその突起を受け入れる切欠き部または穴からなることを特徴とする請求項８に記載の盤装置。
【請求項１０】
前記保護カバーは、前記配線用遮断器の近傍に設置されたカバー支持部材に対して、前記入切ツマミの動作方向と平行にスライド移動可能で任意のスライド位置で回動自在に軸支され、前記係合部は、その軸心から半径方向に所定寸法離れた位置の前記保護カバーに立設された係合ピンによって形成され、前記カバーロック部材は、スライド移動の方向と平行でスライド移動寸法と同等の寸法の直線部とその直線部に連なる円弧部によって形成された前記係合ピンに係合するガイド溝を有する板状のガイド部材よって構成され、前記入切ツマミの投入時には前記係合ピンを前記ガイド溝の前記直線部に位置させることで前記保護カバーの開放方向の動作を規制するようにしていることを特徴とする請求項１から５のいずれか１項に記載の盤装置。
【手続補正２】
【補正対象書類名】明細書
【補正対象項目名】０００６
【補正方法】変更
【補正の内容】
【０００６】
本発明に係る盤装置は、配線用遮断器の入切ツマミの挿通穴を有すると共に、該配線用遮断器の露出された充電部を覆うように形成され所定部に係合部を有する保護カバーと、この保護カバーを開閉可能に支持するカバー支持部材と、前記保護カバーが閉じられているときに前記係合部と互いに係合して前記保護カバーの回動を規制するカバーロック部材を備えると共に、前記保護カバーまたは前記カバー支持部材が、前記入切ツマミの動作に応じて移動可能に設けられ、その移動によって前記係合部と前記カバーロック部材とが係合または係脱されるようにしているものである。
【手続補正書】
【提出日】平成28年10月28日(2016.10.28)
【手続補正１】
【補正対象書類名】特許請求の範囲
【補正対象項目名】全文
【補正方法】変更
【補正の内容】
【特許請求の範囲】
【請求項１】
配線用遮断器の入切ツマミの挿通穴を有すると共に、該配線用遮断器の露出された充電部を覆うように形成され所定部に係合部を有する保護カバーと、この保護カバーを開閉可能に支持するカバー支持部材と、前記保護カバーが閉じられているときに前記係合部と互いに係合して前記保護カバーの回動を規制するカバーロック部材を備えると共に、前記保護カバーまたは前記カバー支持部材が、前記入切ツマミの動作に応じて移動可能に設けられ、その移動によって前記係合部と前記カバーロック部材とが係合または係脱されるようにしていることを特徴とする盤装置。
【請求項２】
配線用遮断器の入切ツマミの挿通穴を有すると共に、該配線用遮断器の露出された充電部を覆うように形成され所定部にＬ字状の切れ込みからなる係合部を有する保護カバーと、この保護カバーを開閉可能に支持するカバー支持部材と、前記保護カバーが閉じられているときに前記係合部と互いに係合して前記保護カバーの回動を規制するカバーロック部材を備えると共に、前記カバーロック部材が前記入切ツマミの動作に応じて移動可能に設けられ、その移動によって前記係合部と前記カバーロック部材とが係合または係脱されるようにし、前記保護カバーは、前記カバー支持部材に回動自在に支持されつつ開閉されるようにしていることを特徴とする盤装置。
【請求項３】
前記保護カバー、前記カバー支持部材、及び前記カバーロック部材の何れかが、前記入切ツマミの前記挿通穴を介した前記入切ツマミの動作に応じて移動可能に設けられていることを特徴とする請求項１または請求項２に記載の盤装置。
【請求項４】
前記保護カバーに、前記充電部を視認可能な監視窓が設けられていることを特徴とする請求項１から３のいずれか１項に記載の盤装置。
【請求項５】
前記保護カバーが開放状態のときに前記入切ツマミが投入されている状態では、該保護カバーは、前記カバーロック部材または前記入切ツマミに干渉して閉成不能となるようにしていることを特徴とする請求項１から４のいずれか１項に記載の盤装置。
【請求項６】
前記保護カバーは前記カバー支持部材に対して前記入切ツマミの動作方向と平行にスラ
イド移動可能に保持され、前記挿通穴の前記動作方向の寸法は前記入切ツマミの動作範囲と同等に形成され、前記入切ツマミの投入位置では、前記挿通穴の一端部が該入切ツマミと干渉してスライド移動が規制され、かつ前記係合部と前記カバーロック部材との係合が保持され、前記入切ツマミの切断位置では前記保護カバーが該切断位置の方向にスライド移動可能となり、スライド移動させた位置で前記係合部と前記カバーロック部材とが係脱し得るようにしていることを特徴とする請求項１、３、４、５のうちのいずれか１項に記載の盤装置。
【請求項７】
前記カバー支持部材は、前記入切ツマミと連動されて該入切ツマミの動作方向と平行にスライド移動可能に設けられ、所定部で前記保護カバーを回動可能に軸支していることを特徴とする請求項１、３、４、５のうちのいずれか１項に記載の盤装置。
【請求項８】
前記保護カバーは、前記入切ツマミに連動されて該入切ツマミの動作方向と平行にスライド移動可能に設けられ、当該保護カバーを閉じた場合の前記係合部と係合して当該保護カバーの回動を規制するように外側から内側方向に切り欠くように前記カバーロック部材の係止部が形設されていることを特徴とする請求項１、３、４、５のうちのいずれか１項に記載の盤装置。
【請求項９】
前記係合部、及び前記係止部の一方は、舌片状の突起からなり、他方はその突起を受け入れる切欠き部または穴からなることを特徴とする請求項８に記載の盤装置。
【請求項１０】
前記保護カバーは、前記配線用遮断器の近傍に設置されたカバー支持部材に対して、前記入切ツマミの動作方向と平行にスライド移動可能で任意のスライド位置で回動自在に軸支され、前記係合部は、その軸心から半径方向に所定寸法離れた位置の前記保護カバーに立設された係合ピンによって形成され、前記カバーロック部材は、スライド移動の方向と平行でスライド移動寸法と同等の寸法の直線部とその直線部に連なる円弧部によって形成された前記係合ピンに係合するガイド溝を有する板状のガイド部材よって構成され、前記入切ツマミの投入時には前記係合ピンを前記ガイド溝の前記直線部に位置させることで前記保護カバーの開放方向の動作を規制するようにしていることを特徴とする請求項１、３、４、５のうちのいずれか１項に記載の盤装置。
【国際調査報告】
2015029528.tif 000024
2015029528.tif 000025
2015029528.tif 000026
2015029528.tif 000027